(57)【要約】【課題】  長期間にわたり有害鳥獣類の侵入を防止しうる方法と装置を提供することを目的とするものである。【解決手段】  有害鳥獣類の侵入を防止する区域の周囲にロープ１を張り巡らし、ロープ１をロープ受け滑車２を備えた複数の支柱３によって支承すると共に、ロープ１に所定間隔にて有害鳥獣類が嫌う物体４（人間の形をした模型や防鳥グッズなど）を取り付け、ロープ１を正逆方向又は一方向に動かすことを特徴とする有害鳥獣類の侵入防止方法を提供すると共に、有害鳥獣類の侵入を防止する区域の周囲に張り巡らされたロープ１と、ロープ１を支える、ロープ受け滑車２を備えた複数の支柱３と、ロープ１に所定間隔にて取り付けられた人間の形をした模型４と、ロープ１を正逆方向又は一方向に動かす手段５と、を備えたことを特徴とする有害鳥獣類の侵入防止装置を提供する。【選択図】  図１
2006075100.tif 000002
【特許請求の範囲】
【請求項１】
有害鳥獣類の侵入を防止する区域の周囲にロープを張り巡らし、前記ロープをロープ受け滑車を備えた複数の支柱によって支承すると共に、前記ロープに所定間隔にて前記有害鳥獣類が嫌う物体を取り付け、前記ロープを正逆方向又は一方向に動かすことを特徴とする有害鳥獣類の侵入防止方法。
【請求項２】
有害鳥獣類の侵入を防止する区域の周囲に張り巡らされたロープと、前記ロープを支える、ロープ受け滑車を備えた複数の支柱と、前記ロープに所定間隔にて取り付けられた前記有害鳥獣類が嫌う物体と、前記ロープを正逆方向又は一方向に動かす手段と、を備えたことを特徴とする有害鳥獣類の侵入防止装置。
【請求項３】
前記ロープを正逆方向に動かす手段が、正逆回転しうるモーターと、前記モーターの回転を次の一組のロープ巻き取り・巻き出しプーリーに伝える伝達ギアーと、前記伝達ギアーにより正逆方向に回転する一組のロープ巻き取り・巻き出しプーリーと、前記モーターの回転数を感知する回転感知手段と、前記回転感知手段からの感知信号により前記モーターの回転を制御させる手段と、からなるものである、請求項２記載の有害鳥獣類の侵入防止装置。
【請求項４】
前記ロープを正逆方向に動かす手段が、正逆回転しうるモーターと、無接点リレー又はリミットスイッチと、からなるものである、請求項２記載の有害鳥獣類の侵入防止装置。
【請求項５】
前記ロープを正逆方向に動かす手段が、正逆回転しうるモーターと、前記モーターが正回転したときに回転し、かつ、前記モーターが逆回転したときには空転するロープ巻き取り兼ロープ巻き出しプーリーと、前記モーターが逆回転したときに回転し、かつ、前記モーターが正回転したときには空転するロープ巻き出し兼ロープ巻き取りプーリーと、前記ロープの所定位置に取り付けられたセンサー感知マークと、前記センサー感知マークを読み取る感知センサーと、前記感知センサーからの感知信号により前記モーターの回転を制御させる手段と、からなるものである、請求項２記載の有害鳥獣類の侵入防止装置。
【請求項６】
前記ロープを一方向に動かす手段が、ロープ巻き取り装置と、ロープ巻き戻し装置と、前記ロープ巻き取り装置及びロープ巻き戻し装置の運転を制御する手段と、からなるものであって、前記ロープ巻き取り装置は、モーターと、前記モーターの回転を次のロープ巻き取りプーリーに断続的に伝えるクラッチ機構と、前記クラッチ機構により前記モーターの回転を断続的に伝えられるロープ巻き取りプーリーと、前記ロープの所定位置に取り付けられたセンサー感知マークと、前記センサー感知マークを読み取る感知センサーと、からなり、かつ、前記ロープ巻き戻し装置は、ロープ巻き戻しプーリーと、前記ロープ巻き戻しプーリーに同軸に取り付けられているラチェットと、前記ラチェットの逆止め爪と、前記ラチェットを作動させるソレノイドと、前記ロープ巻き戻しプーリーに同軸に取り付けられているゼンマイスプリングと、からなり、前記ラチェットの逆止め爪が作動し、前記ラチェットを作動させるソレノイドが入り、前記ラチェットの逆止め爪がラチェットから外れたときに、前記ゼンマイスプリングにより前記ロープを巻き戻しうるようにされている、請求項２記載の有害鳥獣類の侵入防止装置。
【発明の詳細な説明】
【技術分野】
【０００１】
本発明は、有害鳥獣類の侵入防止方法とその装置に関し、詳しくは果実農菜園等への、カラスなどをはじめとする有害鳥獣類の侵入を有効に防止しうる方法と装置に関するものである。
【背景技術】
【０００２】
さくらんぼ、桃、ぶどう、りんご等をはじめとする果実農菜園等に、カラスなどをはじめとする有害鳥獣類が侵入し、食い荒らす被害が目立っており、その防止策が望まれている。
【０００３】
昔から、主に雀や鳩などの鳥類を撃退するために、案山子が用いられている。
しかしながら、案山子は、賢いと言われるカラスや、イノシシなどの大型の有害獣類に対しては、必ずしも有効ではない。
【０００４】
このため、カラスなどの有害鳥類が忌避するような音（超音波）や磁力を発するようにした装置が提案されている（例えば、特許文献１参照）。
【０００５】
しかしながら、このような装置の場合、暫くすると刺激に慣れ、特にカラスなどは高い学習能力があることから、動きがないものと知れば直にその効果が薄れてしまい、侵入防止効果が比較的短いという問題があった。
【特許文献１】特開平４−６３５３６号公報
【発明の開示】
【発明が解決しようとする課題】
【０００６】
本発明は、このような従来の問題点を解消し、長期間にわたり有害鳥獣類の侵入を防止しうる方法と装置を提供することを目的とするものである。
【課題を解決するための手段】
【０００７】
本発明者は、上記目的を達成するため、鋭意検討を重ねた。その結果、有害鳥獣類の侵入を防止する区域の周囲にロープを張り巡らし、このロープに所定間隔にて有害鳥獣類が嫌う物体（例えば、人間の形をした模型や防鳥グッズなど）を取り付け、このロープを一方向又は正逆方向に動かせば、有害鳥獣類からすると天敵である人間などが動きながら常に見張り番をしているように見え、長期間にわたり有害鳥獣類の侵入を防止することができることを見出し、この知見に基づいて本発明を完成するに至った。
【０００８】
即ち、請求項１に係る本発明は、有害鳥獣類の侵入を防止する区域の周囲にロープを張り巡らし、前記ロープをロープ受け滑車を備えた複数の支柱によって支承すると共に、前記ロープに所定間隔にて前記有害鳥獣類が嫌う物体を取り付け、前記ロープを正逆方向又は一方向に動かすことを特徴とする有害鳥獣類の侵入防止方法を提供するものである。
また、請求項２に係る本発明は、有害鳥獣類の侵入を防止する区域の周囲に張り巡らされたロープと、前記ロープを支える、ロープ受け滑車を備えた複数の支柱と、前記ロープに所定間隔にて取り付けられた前記有害鳥獣類が嫌う物体と、前記ロープを正逆方向又は一方向に動かす手段と、を備えたことを特徴とする有害鳥獣類の侵入防止装置を提供するものである。
次に、請求項３に係る本発明は、前記ロープを正逆方向に動かす手段が、正逆回転しうるモーターと、前記モーターの回転を次の一組のロープ巻き取り・巻き出しプーリーに伝える伝達ギアーと、前記伝達ギアーにより正逆方向に回転する一組のロープ巻き取り・巻き出しプーリーと、前記モーターの回転数を感知する回転感知手段と、前記回転感知手段からの感知信号により前記モーターの回転を制御させる手段と、からなるものである、請求項２記載の有害鳥獣類の侵入防止装置を提供するものである。
また、請求項４に係る本発明は、前記ロープを正逆方向に動かす手段が、正逆回転しうるモーターと、無接点リレー又はリミットスイッチと、からなるものである、請求項２記載の有害鳥獣類の侵入防止装置を提供するものである。
次に、請求項５に係る本発明は、前記ロープを正逆方向に動かす手段が、正逆回転しうるモーターと、前記モーターが正回転したときに回転し、かつ、前記モーターが逆回転したときには空転するロープ巻き取り兼ロープ巻き出しプーリーと、前記モーターが逆回転したときに回転し、かつ、前記モーターが正回転したときには空転するロープ巻き出し兼ロープ巻き取りプーリーと、前記ロープの所定位置に取り付けられたセンサー感知マークと、前記センサー感知マークを読み取る感知センサーと、前記感知センサーからの感知信号により前記モーターの回転を制御させる手段と、からなるものである、請求項２記載の有害鳥獣類の侵入防止装置を提供するものである。
さらに、請求項６に係る本発明は、前記ロープを一方向に動かす手段が、ロープ巻き取り装置と、ロープ巻き戻し装置と、前記ロープ巻き取り装置及びロープ巻き戻し装置の運転を制御する手段と、からなるものであって、前記ロープ巻き取り装置は、モーターと、前記モーターの回転を次のロープ巻き取りプーリーに断続的に伝えるクラッチ機構と、前記クラッチ機構により前記モーターの回転を断続的に伝えられるロープ巻き取りプーリーと、前記ロープの所定位置に取り付けられたセンサー感知マークと、前記センサー感知マークを読み取る感知センサーと、からなり、かつ、前記ロープ巻き戻し装置は、ロープ巻き戻しプーリーと、前記ロープ巻き戻しプーリーに同軸に取り付けられているラチェットと、前記ラチェットの逆止め爪と、前記ラチェットを作動させるソレノイドと、前記ロープ巻き戻しプーリーに同軸に取り付けられているゼンマイスプリングと、からなり、前記ラチェットの逆止め爪が作動し、前記ラチェットを作動させるソレノイドが入り、前記ラチェットの逆止め爪がラチェットから外れたときに、前記ゼンマイスプリングにより前記ロープを巻き戻しうるようにされている、請求項２記載の有害鳥獣類の侵入防止装置を提供するものである。
【発明の効果】
【０００９】
本発明によれば、有害鳥獣類からすると天敵である人間などが動きながら（行ったり来たりしながら）常に見張り番をしているような状態とすることができる。
従って、長期間にわたり果実農菜園等への有害鳥獣類の侵入を防止することができる。
さらに、有害鳥獣類が嫌う物体に、例えば、人間の形をした模型や防鳥グッズなどに、熱感知センサーのような検知手段を取り付けておけば、この検知手段と連動する投光器の点灯、ボイスレコーダーによる音声の出力により、獣類や近頃多発している果実泥棒に対する盗難抑止策としても有効である。
【発明を実施するための最良の形態】
【００１０】
以下、本発明を図面に示す具体例により詳細に説明する。
請求項１に係る本発明は、有害鳥獣類の侵入を防止する区域の周囲にロープを張り巡らし、前記ロープをロープ受け滑車を備えた複数の支柱によって支承すると共に、前記ロープに所定間隔にて前記有害鳥獣類が嫌う物体を取り付け、前記ロープを正逆方向又は一方向に動かすことを特徴とする有害鳥獣類の侵入防止方法である。
請求項１に係る本発明の方法は、請求項２に係る本発明の装置により好適に行うことができるので、以下、請求項２に係る本発明の装置を説明しつつ、併せて請求項１に係る本発明の方法についても説明することとする。図１は、請求項２に係る本発明の１態様を示す説明図である。
請求項２に係る本発明は、有害鳥獣類の侵入防止装置に関し、有害鳥獣類の侵入を防止する区域の周囲に張り巡らされたロープ１と、前記ロープ１を支える、ロープ受け滑車２を備えた複数の支柱３と、前記ロープ１に所定間隔にて取り付けられた前記有害鳥獣類が嫌う物体４と、前記ロープ１を一方向又は正逆方向に動かす手段５と、を備えたことを特徴とするものである。
【００１１】
請求項２に係る本発明の有害鳥獣類の侵入防止装置では、有害鳥獣類の侵入を防止する区域の周囲、例えば果実農菜園の周囲にロープ１が張り巡らされている。ロープ１としては、市販のロープでよく、通常はワイヤロープ（索条）が用いられる。
【００１２】
前記ロープ１は、ロープ受け滑車（プーリー）２により支えられており、前記ロープ受け滑車２は複数の支柱３に備えられている。
ロープ受け滑車２としては、図２に示すように、縦置きにした滑車の上面でロープを受けるタイプのものでもよいし、図３に示すように、横置きにした滑車の側面でロープを受けるタイプのものでもよい。なお、図中、符号６はハズレ防止滑車であり、符号７はハズレ止め金具であるが、必要に応じてハズレ防止滑車６は省略することもできる。また、ロープ受け滑車（プーリー）２としては、図３に示すようなホイールプーリーを用いることもできる。
【００１３】
支柱３を高さの調整が可能なものとしておけば、設置する現場の状況に合わせることができることから好ましい。支柱３の材質は特に制限はないが、通常、鉄などの金属製や合成樹脂製とされている。前記滑車の材質も同様である。
また、支柱３の設置本数は、設置する現場の状況に応じて適宜選定すればよい。
請求項１に係る本発明においては、このようにして有害鳥獣類の侵入を防止する区域の周囲にロープ１を張り巡らし、このロープ１をロープ受け滑車２を備えた複数の支柱３によって支承する。
【００１４】
図４（ａ）、（ｂ）、（ｃ）、（ｄ）に示すように、前記ロープ１には、所定間隔、例えば５〜６ｍ間隔にて、有害鳥獣類が嫌う物体４（例えば、人間の形をした模型や防鳥グッズなど）が取り付けられている。ここで人間の形としては、カラスやイノシシなどの有害鳥獣類が最も嫌う猟師の形が最も好ましいが、これに限定されるものではない。また、有害鳥獣類が嫌う物体４として人間の形をした模型を用いる場合には、できるだけ実際の人間の大きさや形に近いものが好ましい。
また、図４（ａ）に示すように、この有害鳥獣類が嫌う物体４に、赤外線センサーや熱センサー（熱感知センサー）のような検知手段８を取り付け、その検知レベルをイノシシ、猿等の獣類と人間を検知することができる程度のものとしておけば、有害鳥獣類の侵入を防止する区域内に人間等が入ったことを自動的に検知することができる。
従って、この検知手段８と連動するように、投光器の点灯、ボイスレコーダーによる音声の出力ができるようにしておくことにより、近時頻発している、さくらんぼや桃、りんごなどの果実泥棒に対する盗難抑止策としても有効なものとすることができる。図５は、投光器９と、ボイスレコーダー（図示していない）による音声の出力を行うスピーカー１０を、支柱３に取り付けた模様を示す説明図である。
【００１５】
さらに、本発明においては、前記ロープ１を正逆方向又は一方向に動かす手段５が備えられている。
請求項３は、そのうちの前記ロープ１を正逆方向に動かす手段５に関するものであって、前記ロープ１を正逆方向に動かす手段５が、正逆回転しうるモーターと、前記モーターの回転を次の一組のロープ巻き取り・巻き出しプーリーに伝える伝達ギアーと、前記伝達ギアーにより正逆方向に回転する一組のロープ巻き取り・巻き出しプーリーと、前記モーターの回転数を感知する回転感知手段と、前記回転感知手段からの感知信号により前記モーターの回転を制御させる手段と、からなるものである、請求項２記載の有害鳥獣類の侵入防止装置を提供するものである。
【００１６】
なお、電源としては、一般家庭電源（ＡＣ１００Ｖ）の他に、太陽電池や風力発電システム等によるものがあるが、通常は、一般家庭電源（ＡＣ１００Ｖ）が用いられる。
以下、請求項２に係る本発明を図面により説明する。図６、図７は、前記ロープ１を正逆方向に動かす手段５の一態様を示す説明図であって、図６はその正面図であり、図７は図６のＷ−Ｗ線断面図である。
【００１７】
図６、７中、符号１１は正逆回転しうるモーターであり、符号１２は伝達ギアーである。伝達ギアー１２は、前記モーター１１の回転を次のロープ巻き取り・巻き出しプーリー１３に伝えるものである。符号１３は、前記伝達ギアー１２により正逆方向に回転する一組のロープ巻き取り・巻き出しプーリーであり、符号１３Ａが一方のロープ巻き取り・巻き出しプーリーであり、符号１３Ｂが他方のロープ巻き取り・巻き出しプーリーである。また、符号１４は、前記モーター１１の回転数を感知する回転感知手段であり、前記モーター１１に前記伝達ギアー１２と同軸に取り付けられているパルス発生回転板１４Ａと、回転感知センサー１４Ｂとからなる。さらに、図示してはいないが、前記回転感知手段１４からの感知信号により前記モーター１１の回転を制御させる手段が設けられている。このモーター１１の回転を制御させる手段には、前記回転感知手段１４からの感知信号により前記モーター１１の回転を停止させる手段と、タイマーと、前記モーター１１の回転を開始させる手段とが含まれる。なお、図６中、符号１５はプーリー押さえ板、符号１６はモーター取り付け板、符号１７はプーリー軸受メタル、符号１８はプーリー側軸受メタル、符号１９はプーリー押さえ板の押さえ柱である。
【００１８】
このような正逆方向に動かす手段５、特に正逆方向に間欠運動させる手段の動作を述べると、以下のとおりである。
まず、制御盤（図示していない）のスタートスイッチを入れる（ＯＮにする）と、モーター１１が正方向に回転し、伝達ギアー１２を通して一組のロープ巻き取り・巻き出しプーリー１３が正回転し、一組のロープ巻き取り・巻き出しプーリー１３のうちの一方のロープ巻き取り・巻き出しプーリー１３Ａがロープ１を巻き取り始める。逆に、他方のロープ巻き取り・巻き出しプーリー１３Ｂはロープ１を巻き出し始める。
従って、前記ロープ１に所定間隔にて取り付けられた人間の形をした模型４が正方向に動くことになる。
するとモーター１１の回転数を感知する回転感知手段１４のうちのパルス発生回転板１４Ａが回転し始める。そのとき、回転感知センサー１４Ｂが稼動して、パルス発生回転板１４Ａの回転数を感知してカウンターで数えて所定回転数（例えば１５回転）でモーター１１を停止させる。この停止は、前記モーター１１の回転を制御させる手段による。ここでパルス発生回転板１４Ａの回転数が、この所要回転数（１５回転）となったところで、５ｍのロープ移動が可能であるように、一組のロープ巻き取り・巻き出しプーリー１３の直径を選択しておけば、ロープ１が５ｍ移動したところで停止するようになる。例えば、５ｍでなくて８ｍのロープ移動を希望するのであれば、それに合わせて必要な条件を適宜選定すればよい。
【００１９】
その後、モーター１１の回転を制御させる手段のうちのタイマーにより、所望の停止タイム（例えば、０分〜１０分間隔）の作動後、モーター１１の回転を制御させる手段のうちの回転を開始させる手段により今度はモーター１１が逆回転して、他方のロープ巻き取り・巻き出しプーリー１３Ｂがロープ１を巻取り始める。逆に、一方のロープ巻き取り・巻き出しプーリー１３Ａはロープ１を巻き出し始める。ロープ巻き取り・巻き出しプーリー１３の役割が入れ替わることになる。
従って、前記ロープ１に所定間隔にて取り付けられた人間の形をした模型４が逆方向に動くことになる。
すると、このときも前記と同じように、モーター１１の回転数を感知する回転感知手段のうちのパルス発生回転板１４Ａが回転し始める。そのとき、回転感知センサー１４Ｂが稼動して、パルス発生回転板１４Ａの回転数を感知してカウンターで数えて所定回転数（例えば１５回転）でモーター１１を停止させる。
さらに、その後、別のタイマーにより、所望の停止タイム（例えば、０分〜１０分間隔）の作動後、今度はモーター１１が再び正方向に回転し始める。
このタイマーで停止時間を所望の値に設定しておけば、自動的に何分間隔の自動運転となる。所望の停止時間をおいて正逆方向に間欠運転させることにより、有害鳥獣類が慣れるのを防止できる。なお、人間の形をした模型４の動く速度は、できるだけ人間の歩く速度と近い方がよく、その速度はモーター１１の回転速度や伝達ギアー１２のギア比などを適宜選定することにより調整すればよい。
なお、請求項３に係る本発明においては、このように間欠運動させる他に、連続運動させることも勿論可能である。これは、次に述べる請求項４や請求項５に係る本発明においても同様である。本発明においては、連続運動させてもよいし、間欠運動させてもよい。
【００２０】
次に、請求項４は、請求項３と同様に前記ロープ１を正逆方向に動かす手段５に関するものであって、前記ロープを正逆方向に動かす手段５が、正逆回転しうるモーター１１と、無接点リレー又はリミットスイッチＡと、からなるものである、請求項２記載の有害鳥獣類の侵入防止装置である。
請求項４においては、前記ロープを正逆方向に動かす手段５として、正逆回転しうるモーター１１と、無接点リレー又はリミットスイッチＡとの組み合わせを用い、無接点リレー又はリミットスイッチＡにより、予め任意の位置にセットして運動距離を任意に定めることができると同時に、必要に応じてタイマーを合わせて用い、任意な時間設定により間欠運動を可能としている。
これにより、前記ロープ１に所定間隔にて取り付けられた有害鳥獣類が嫌う物体４（例えば、人間の形をした模型や防鳥グッズなど）を任意の位置で停止させ、その後、逆方向に動かすことができ、有害鳥獣類からすると、あたかも天敵である人間などが動きながら（行ったり来たりしながら）常に見張り番をしているように見えることになる。
【００２１】
次に、請求項５は、請求項３、４と同様に、前記ロープ１を正逆方向に動かす手段５に関するものであって、前記ロープを正逆方向に動かす手段５が、正逆回転しうるモーターと、前記モーターが正回転したときに回転し、かつ、前記モーターが逆回転したときには空転するロープ巻き取り兼ロープ巻き出しプーリーと、前記モーターが逆回転したときに回転し、かつ、前記モーターが正回転したときには空転するロープ巻き出し兼ロープ巻き取りプーリーと、前記ロープの所定位置に取り付けられたセンサー感知マークと、前記センサー感知マークを読み取る感知センサーと、前記感知センサーからの感知信号により前記モーターの回転を制御させる手段と、からなるものである、請求項２記載の有害鳥獣類の侵入防止装置を提供するものである。
【００２２】
以下、請求項５に係る本発明を図面により説明する。図８、９は、前記ロープ１を正逆方向に動かす手段５の他の態様を示す説明図であって、図８はその正面図であり、図９は図８のＸ−Ｘ線断面図である。なお、図８については、ラチェット爪２５とスプリング２６の近辺を除き、原則として中心より上部は断面を示し、下部は外形を示している。
【００２３】
図８、９中、符号２０は正逆回転しうるモーターであり、符号２１は、前記モーター２０が正回転したときに回転し、かつ、前記モーター２０が逆回転したときには空転するロープ巻き取り兼ロープ巻き出しプーリーである。また、符号２２は、前記モーター２０が逆回転したときに回転し、かつ、前記モーター２０が正回転したときには空転するロープ巻き出し兼ロープ巻き取りプーリーである。このようにロープ巻き取り兼ロープ巻き出しプーリー２１とロープ巻き出し兼ロープ巻き取りプーリー２２とは、正反対の動きを示すものである。モーター２０としては、出力が６０Ｗ以上のものを用いることが好ましい。
【００２４】
ここでロープ巻き取り兼ロープ巻き出しプーリー２１を、前記モーター２０が正回転したときに回転し、かつ、前記モーター２０が逆回転したときには空転するようにすると共に、ロープ巻き出し兼ロープ巻き取りプーリー２２を、前記モーター２０が逆回転したときに回転し、かつ、前記モーター２０が正回転したときには空転するようにする仕組みは、以下に示すとおりである。
【００２５】
まずロープ巻き取りプーリー兼ロープ巻き出し２１と、ロープ巻き出し兼ロープ巻き取りプーリー２２は、いずれも主軸２３に対してフリーな状態に隣り合せに取り付けられている（軸支されている。）。
そしてロープ巻き取り兼ロープ巻き出しプーリー２１と、ロープ巻き出し兼ロープ巻き取りプーリー２２の側部には、それぞれラチェットギヤー２４が互いに反対方向に取り付けられており、それぞれロープ巻き取り兼ロープ巻き出しプーリー２１と共に、或いはロープ巻き出し兼ロープ巻き取りプーリー２２と共に回転するようにされている。
さらに、このラチェットギヤー２４に噛み合うラチェット爪２５と、逆回転時にラチェットギヤー２４とラチェット爪２５との噛み合いを解消しようとする方向に働くスプリング２６と、を取り付けたラチェット爪取り付け板２７が、主軸２３にそれぞれ軸支されている。
【００２６】
なお、図中、符号２８は軸受けであり、符号２９は支柱である。軸受け２８により主軸２３を受け、これを支柱２９で両側を支えることによって、ロープ巻き取り兼ロープ巻き出しプーリー２１と、ロープ巻き出し兼ロープ巻き取りプーリー２２を含めた全体を支柱２９で支えている。さらに、符号Ｂは、これら装置全体を支えている基板である。軸受け２８としては、主軸２３の回転を円滑ならしめるため、通常、銅と錫の合金である砲金によって作られているが、これに限定されるものではない。
【００２７】
このような構造を有しているため、まずスタート押釦スイッチ（図示していない）を押して前記モーター２０を正回転させたときには、これと連動して主軸２３が正回転する。すると、この主軸２３に取り付けられているラチェット爪取り付け板２７が正回転し、これに合せてこれに取り付けられているラチェット爪２５が正回転し、さらにこのラチェット爪２５に噛み合うラチェットギヤー２４が正回転することになる。
ラチェットギヤー２４が正回転すると、これに合せてロープ巻き取り兼ロープ巻き出しプーリー２１も正回転することになり、図示していないが、このロープ巻き取り兼ロープ巻き出しプーリー２１にロープ１が巻き取られることになる。
【００２８】
一方、ロープ巻き出し兼ロープ巻き取りプーリー２２の側部には、ラチェットギヤー２４やラチェット爪２５がロープ巻き取り兼ロープ巻き出しーリー２１とは反対方向に取り付けられているため、ロープ巻き取り兼ロープ巻き出しーリー２１の正回転はロープ巻き出し兼ロープ巻き取りプーリー２２にとってはいわば逆回転に相当し、スプリング２６によりラチェットギヤー２４とラチェット爪２５との噛み合いが解消される。このため、ロープ巻き出し兼ロープ巻き取りプーリー２２は、前記モーター２０が正回転したときには空転することとなり、図示していないが、このロープ巻き出し兼ロープ巻き取りプーリー２２に巻かれているロープ１が巻き出されることになる。
このようにして前記モーター２０が正回転したときに、ロープ巻き取り兼ロープ巻き出しプーリー２１が回転する一方、ロープ巻き出し兼ロープ巻き取りプーリー２１は空転することになる。
その結果、この場合には無理なくロープ巻き取り兼ロープ巻き出しプーリー２１に、ロープ１が巻き取られることになる。
【００２９】
次に、前記モーター２０が逆回転したときは、ロープ巻き取り兼ロープ巻き出しプーリー２１の役割とロープ巻き出し兼ロープ巻き取りプーリー２２との役割がこれとは丁度正反対となる。前記モーター２０が逆回転したときには、ロープ巻き出し兼ロープ巻き取りプーリー２２が回転する一方、ロープ巻き取り兼ロープ巻き出しプーリー２１は空転することになる。
その結果、この場合には無理なくロープ巻き出し兼ロープ巻き取りプーリー２２に、ロープ１が巻き取られることになる。
【００３０】
請求項５に係る本発明は、この他、前記ロープの所定位置に取り付けられたセンサー感知マークと、前記センサー感知マークを読み取る感知センサー（赤外線センサーなど）と、前記感知センサーからの感知信号により前記モーター２０の回転を制御させる手段と、を有している。
これらはいずれも図示してはいないが、公知のものを使用することができる。ここで前記感知センサーからの感知信号により前記モーター２０の回転を制御させる手段には、前記回転感知センサーからの感知信号により前記モーター２０の回転を停止させる手段と、タイマーと、前記モーター２０の回転を開始させる手段とが含まれる。
【００３１】
請求項５に係る本発明はこのような構成を有しているため、上記したように、スタート押釦スイッチ（図示していない）を押して前記モーター２０を正回転させたときには、ロープ巻き取り兼ロープ巻き出しプーリー２１が正回転し、ロープ１を巻き取る一方、ロープ巻き出し兼ロープ巻き取りプーリー２１は空転し、ロープ１を巻き出すことになる。
その結果、この場合には無理なくロープ巻き取り兼ロープ巻き出しプーリー２１に、ロープ１が巻き取られることになる。
ロープ１が所定の距離移動すると、ロープ１の所定位置に取り付けられたセンサー感知マークを感知センサーが読み取り、この感知センサーからの感知信号に基づき前記モーター２０の回転を制御させる手段のうちの前記モーター２０の回転を停止させる手段の働きによって、前記モーター２０の回転（正回転）が停止する。
【００３２】
前記モーター２０の回転を制御させる手段のうちのタイマーの働きによって一次停止後、前記モーター２０の回転を制御させる手段のうちの前記モーター２０の回転を開始させる手段の働きによって前記モーター２０が逆回転する。
前記モーター２０が逆回転したときは、ロープ巻き取り兼ロープ巻き出しプーリー２１の役割とロープ巻き出し兼ロープ巻き取りプーリー２２との役割がこれとは丁度正反対となり、ロープ巻き出し兼ロープ巻き取りプーリー２２が回転する一方、ロープ巻き取り兼ロープ巻き出しプーリー２１は空転することになる。
その結果、ロープ巻き取り兼ロープ巻き出しプーリー２１に巻き取られたロープ１は巻き出され、ロープ巻き出し兼ロープ巻き取りプーリー２２に、ロープ１が巻き取られることになる。
【００３３】
このようにしてロープ１が最初の位置に移動すると、ロープ１の所定位置に取り付けられたセンサー感知マークを感知センサーが読み取り、この感知センサーからの感知信号に基づき前記モーター２０の回転を制御させる手段のうちの前記モーター２０の回転を停止させる手段の働きによって、前記モーター２０の回転（正回転）が停止する。
前記モーター２０の回転を制御させる手段のうちのタイマーの働きによって一次停止後、前記モーター２０の回転を制御させる手段のうちの前記モーター２０の回転を開始させる手段の働きによって、再び前記モーター２０が正回転する。
これが自動的に繰り返して運転される。なお、ストップ押釦スイッチ（図示していない）を押すと停止する。
【００３４】
請求項５に係る本発明によれば、このようにして前記ロープ１に所定間隔にて取り付けられた有害鳥獣類が嫌う物体４（例えば、人間の形をした模型や防鳥グッズなど）を所定の位置で停止させ、その後、逆方向に動かすことができ、有害鳥獣類からすると、あたかも天敵である人間などが動きながら（行ったり来たりしながら）常に見張り番をしているように見えることになる。
この請求項５に係る本発明の有害鳥獣類の侵入防止装置は、機構的に簡単で故障率が低く、安価に製造できる一方、動作が確実で騒音が少ないものであり、しかも有害鳥獣類の侵入学習能力を超えた動きを示すため、侵入防止効果が継続するなどの実益を有する。
【００３５】
次に、請求項６は、前記ロープを一方向に動かす手段に関するものであり、前記ロープを一方向に動かす手段が、ロープ巻き取り装置と、ロープ巻き戻し装置と、前記ロープ巻き取り装置及びロープ巻き戻し装置の運転を制御する手段と、からなるものであって、前記ロープ巻き取り装置は、モーターと、前記モーターの回転を次のロープ巻き取りプーリーに断続的に伝えるクラッチ機構と、前記クラッチ機構により前記モーターの回転を断続的に伝えられるロープ巻き取りプーリーと、前記ロープの所定位置に取り付けられたセンサー感知マークと、前記センサー感知マークを読み取る感知センサーと、からなり、かつ、前記ロープ巻き戻し装置は、ロープ巻き戻しプーリーと、前記ロープ巻き戻しプーリーに同軸に取り付けられているラチェットと、前記ラチェットの逆止め爪と、前記ラチェットを作動させるソレノイドと、前記ロープ巻き戻しプーリーに同軸に取り付けられているゼンマイスプリングと、からなり、前記ラチェットの逆止め爪が作動し、前記ラチェットを作動させるソレノイドが入り、前記ラチェットの逆止め爪がラチェットから外れたときに、前記ゼンマイスプリングにより前記ロープを巻き戻しうるようにされている、請求項２記載の有害鳥獣類の侵入防止装置を提供するものである。
【００３６】
以下、請求項６に係る本発明を図面により説明する。図１０〜１３は、前記ロープ１を一方向に動かす手段５の一態様を示す説明図である。図１０と図１１はそのうちのロープ巻き取り装置３０の一態様を示しており、図１０はその正面図であり、図１１は図１０のＹ−Ｙ線断面図である。一方、図１２と図１３はそのうちのロープ巻き戻し装置３１の一態様を示しており、図１２はその正面図であり、図１３は図１０のＺ−Ｚ線断面図である。
【００３７】
図１０、１１に示されるロープ巻き取り装置３０は、モーター３２と、前記モーター３２の回転を次のロープ巻き取りプーリーに断続的に伝えるクラッチ機構３３と、前記クラッチ機構３３により前記モーター３２の回転を断続的に伝えられるロープ巻き取りプーリー３４と、前記ロープ１の所定位置に取り付けられたセンサー感知マーク３５と、前記センサー感知マーク３５を読み取る感知センサー（図示していない）と、からなっている。
ここでモーター３２は、前に述べたモーター１１とは異なり、一方向にのみ回転する通常のものである。
また、クラッチ機構３３は、基本的にクラッチ作動ソレノイド３３Ａと、クラッチ作動板３３Ｂと、クラッチ用スプリング３３Ｃと、からなっている。なお、図１０、１１中、符号３６はロープ巻き取りプーリー押さえ板、符号３７はクラッチ用スプリング押さえ板、符号３８はクラッチ用ソレノイド、符号３９はロープ巻き取りプーリー軸受メタル、符号４０はモーター取り付け板である。
【００３８】
一方、図１０、１１に示されるロープ巻き戻し装置３１は、ロープ巻き戻しプーリー４１と、前記ロープ巻き戻しプーリー４１に同軸に取り付けられているラチェット４２と、前記ラチェット４２の逆止め爪４３と、前記ラチェット４２を作動させるソレノイド４４と、前記ロープ巻き戻しプーリー４１に同軸に取り付けられているゼンマイ（板巻き）スプリング４５と、からなっている。なお、図１２、１３中、符号４６はロープ巻き戻しプーリー押さえ板、符号４７はロープ安定金具、符号４８はゼンマイ調整スペーサー、符号４９は軸受メタル、符号５０はスプリング押さえ板、符号５１はロープ巻き戻しプーリー軸受メタル、符号５２はラチェット位置調整スペーサーである。
【００３９】
このような一方向に動かす手段５、特に一方向に間欠運動させる手段５の動作を述べると、以下のとおりである。
まず、図１０、１１に示されるロープ巻き取り装置３０の制御盤（図示していない）のスタートスイッチを入れる（ＯＮにする）と、モーター３２が回転すると同時に、クラッチ作動ソレノイド２３Ａが働き、クラッチ作動板２３Ｂが入り、クラッチ用スプリング３３Ｃにより、ロープ巻き取りプーリー３４が回転して、ロープ１を巻き取り始める（ロープ巻き取り装置Ａが作動する。）。
従って、前記ロープ１に所定間隔にて取り付けられた有害鳥獣類が嫌う物体４（例えば、人間の形をした模型や防鳥グッズなど）が一方向に動くことになる。
ロープ１の所定位置（例えば、５ｍの地点）に取り付けられているセンサー感知マーク３５を感知センサー（図示していない）で読み取り、モーター３２を停止させると同時に、クラッチ作動ソレノイド３３Ａも停止する。
その後、必要により、前記ロープ巻き取り装置及びロープ巻き戻し装置の運転を制御する手段としてのタイマーの設定によって、適当な時間間隔で動作させる。
【００４０】
上記のようにしてロープ巻き取り装置３０が作動してロープ１を巻き取った後に、今度は図１２、１３に示されるロープ巻き戻し装置３１が作動する。
ラチェット４２の逆止め爪４３が作動するため、ラチェット４２を作動させるソレノイド４４が入り、前記逆止め爪４３がラチェット４２から外れると、ゼンマイスプリング４５によってロープ巻き戻しプーリー４１が回転して、ロープ１を巻き戻し、全部巻き戻すと、ラチェット４２を作動させるソレノイド４４が停止する。
その後、前記ロープ巻き取り装置及びロープ巻き戻し装置の運転を制御する手段としてのタイマーにより、所望の停止タイム（例えば、０分〜１０分間隔）の作動後、巻取り動作と巻き戻し動作とを繰り返す。
【００４１】
請求項１に係る本発明においては、前記のようにして有害鳥獣類の侵入を防止する区域の周囲にロープ１を張り巡らし、ロープ１をロープ受け滑車２を備えた複数の支柱３によって支承し、このロープ１に所定間隔にて有害鳥獣類が嫌う物体４（例えば、人間の形をした模型や防鳥グッズなど）を取り付け、さらに、このロープ１を上記のようにして適宜手段により、正逆方向又は一方向に、連続的に又は間欠的に動かし、これにより有害鳥獣類の侵入を防止する。
【００４２】
本発明は、以上のように構成されているため、有害鳥獣類からすると、あたかも天敵である人間などが動きながら（行ったり来たりしながら）常に見張り番をしているように見え、長期間にわたり有害鳥獣類の侵入を防止することができる。
従って、本発明は、農園芸業等において有効に利用することができる。
【図面の簡単な説明】
【００４３】
【図１】請求項１に係る本発明の１態様を示す説明図である。
【図２】ロープ受け滑車２の一態様を示す説明図である。
【図３】ロープ受け滑車２の他の態様を示す説明図である。
【図４】有害鳥獣類が嫌う物体４の各種態様を示す説明図である。
【図５】投光器９と、ボイスレコーダーによる音声の出力を行うスピーカー１０を、支柱３に取り付けた模様を示す説明図である。
【図６】ロープ１を正逆方向に動かす手段５の一態様を示す正面図である。
【図７】図６のＷ−Ｗ線断面図である。
【図８】ロープ１を正逆方向に動かす手段５の他の態様を示す正面図である。
【図９】図８のＸ−Ｘ線断面図である。
【図１０】ロープ１を一方向に動かす手段５のうちのロープ巻き取り装置３０の一態様を示す正面図である。
【図１１】図１０のＹ−Ｙ線断面図である。
【図１２】ロープ１を一方向に動かす手段５のうちのロープ巻き戻し装置３１の一態様を示す正面図である。
【図１３】図１２のＺ−Ｚ線断面図である。
【符号の説明】
【００４４】
１  ロープ
２  ロープ受け滑車
３  支柱
４  有害鳥獣類が嫌う物体
５  ロープ１を一方向又は正逆方向に動かす手段
６  ハズレ防止滑車
７  ハズレ止め金具
８  検知手段
９  投光器
１０  スピーカー
１１  モーター
１２  伝達ギアー
１３  ロープ巻き取り・巻き出しプーリー
１３Ａ  一方のロープ巻き取り・巻き出しプーリー
１３Ｂ  他方のロープ巻き取り・巻き出しプーリー
１４  回転感知手段
１４Ａ  パルス発生回転板
１４Ｂ  回転感知センサー
１５  プーリー押さえ板
１６  モーター取り付け板
１７  プーリー軸受メタル
１８  プーリー側軸受メタル
１９  プーリー押さえ板の押さえ柱
２０  モーター
２１  ロープ巻き取り兼ロープ巻き出しプーリー
２２  ロープ巻き出し兼ロープ巻き取りプーリー
２３  主軸２３
２４  ラチェットギヤー
２５  ラチェット爪
２６  スプリング
２７  ラチェット爪取り付け板
２８  軸受け
２９  支柱
３０  ロープ巻き取り装置
３１  ロープ巻き戻し装置
３２  モーター
３３  クラッチ機構
３３Ａ  クラッチ作動ソレノイド
３３Ｂ  クラッチ作動板
３３Ｃ  クラッチ用スプリング
３４  ロープ巻き取りプーリー
３５  センサー感知マーク
３６  ロープ巻き取りプーリー押さえ板
３７  クラッチ用スプリング押さえ板
３８  クラッチ用ソレノイド
３９  ロープ巻き取りプーリー軸受メタル
４０  モーター取り付け板
４１  ロープ巻き戻しプーリー
４２  ラチェット
４３  ラチェット２４の逆止め爪
４４  ソレノイド
４５  ゼンマイスプリング
４６  ロープ巻き戻しプーリー押さえ板
４７  ロープ安定金具
４８  ゼンマイ調整スペーサー
４９  軸受メタル
５０  スプリング押さえ板
５１  ロープ巻き戻しプーリー軸受メタル
５２  ラチェット位置調整スペーサー
Ａ  無接点リレー又はリミットスイッチ
Ｂ  基板
【図１】
2006075100.tif 000003
【図２】
2006075100.tif 000004
【図３】
2006075100.tif 000005
【図４】
2006075100.tif 000006
【図５】
2006075100.tif 000007
【図６】
2006075100.tif 000008
【図７】
2006075100.tif 000009
【図８】
2006075100.tif 000010
【図９】
2006075100.tif 000011
【図１０】
2006075100.tif 000012
【図１１】
2006075100.tif 000013
【図１２】
2006075100.tif 000014
【図１３】
2006075100.tif 000015